(57)【要約】【課題】単一のスピーカを使用して開閉状態に拘らず良好な音声出力が得られる折り畳み式携帯端末装置を得る。【解決手段】ヒンジ４０にて連結された第１筐体２０および第２筐体３０の一方の内面に形成した凹部２２にスピーカ２３を配置する。このスピーカ２３からの音声を、開状態では直接ユーザへ出力すると共に閉状態では第１筐体２０および第２筐体３０に形成される導音部２２、３４、２４を介して第１筐体２０の外部へ出力する。この導音部は、開状態では、形成されないので不要な音漏れは生じない。【選択図】図1
2006067084.tif 000002
【特許請求の範囲】
【請求項１】
それぞれ一端においてヒンジ結合され、それぞれ内面に表示部等および操作部等が設けられた１対の筐体を備え、使用時又は不使用時に前記ヒンジにより前記１対の筐体を開閉可能に構成された折り畳み式携帯端末装置において、
前記１対の筐体の一方の内面に形成された凹部に配置されたスピーカと、閉状態における該スピーカからの音を前記筐体の外面へ導く導音部とを備えることを特徴とする折り畳み式携帯端末装置。
【請求項２】
前記スピーカは、前記１対の筐体のうちの一方の前記ヒンジが設けられた端部の近傍に設けられることを特徴とする請求項１に記載の折り畳み式携帯端末装置。
【請求項３】
前記スピーカを配置する前記凹部は、前記表示部等が配置される一方の筐体に形成されることを特徴とする請求項１又は２に記載の折り畳み式携帯端末装置。
【請求項４】
前記１対の筐体のうち前記表示部等が設けられた一方の筐体の内面に前記スピーカを配置する凹部および該凹部近傍に内外面間を貫通して形成された開口部と、前記１対の筐体のうち他方の筐体の内面に前記凹部および前記開口部に対応して形成された凹部とを有し、前記一方の筐体の開口部および前記他方の筐体の凹部により前記導音部を構成することを特徴とする請求項３に記載の折り畳み式携帯端末装置。
【請求項５】
前記スピーカを配置する前記凹部は、前記操作部等が配置される一方の筐体の内面に形成されることを特徴とする請求項１又は２に記載の折り畳み式携帯端末装置。
【請求項６】
前記一方の筐体の内面に形成された凹部に対応する前記他方の筐体の内外面間に貫通する開口部を形成し、前記導音部を構成することを特徴とする請求項５に記載の折り畳み式携帯端末装置。
【発明の詳細な説明】
【技術分野】
【０００１】
本発明は携帯端末装置に関し、特にヒンジにより連結された１対の筐体を有し、不使用時には折り畳み状態にされる折り畳み式携帯端末装置におけるスピーカからの音声再生技術に関する。
【背景技術】
【０００２】
携帯電話端末およびＰＤＡ（Personal Digital
Assistant）等の携帯端末装置は、携帯性を向上させるために、小型軽量化が要求される。そこで、筐体を２分割して、一方には液晶表示パネル（ＬＣＤ）等の表示部等を配置し、他方には操作キー等の操作部等を配置している。そして、これら１対の筐体の一端をヒンジデ連結して、相互に開閉可能に構成した折り畳み式携帯端末装置が提案され且つ広く普及している。
【０００３】
従来の一般的な折り畳み式携帯端末装置においては、ユーザに対して着信を知らせる着信音を発生するスピーカと相手の音声又は受信音声情報を再生する再生用のレシーバが別々に搭載されている。受話音声のレシーバは、その用途からユーザ（使用者）が耳を当てる部分に再生音声が出力される位置に取り付けられている。着信音再生用スピーカは、携帯電話端末の形状によらずレシーバの再生音声出力と同方向かその背面側のどちらか一方に向けて再生音声が出力されるように取り付けられている。
【０００４】
携帯端末装置に関する従来技術は、種々の文献に開示されている。着信音を発生させるスピーカと音声信号を再生させるレシーバとを一体化したレシーバが結合されたスピーカが開示されている（例えば、特許文献1参照。）。また、１つのダイヤフラムで着信音と音声信号を再生する携帯端末機用の双方向スピーカが開示されている（例えば、特許文献２参照。）。更に、複数の表示器を備えた折り畳み式携帯電話機であって、折り畳み状態か否かを検出手段で検出し、折り畳み時には、外部から見える位置に配置された表示器のみを動作させるように構成した携帯電話機が開示されている（例えば、特許文献３参照。）。また、ヒンジ部又はその近傍の円筒状部にスピーカを配置した良好な音響再生を可能にする折り畳み式携帯電話機が開示されている（例えば、特許文献４参照。）。
【０００５】
【特許文献１】特開平２００２−５８０９４号公報（第4頁、第２図‐第３図）
【特許文献２】特開２００３−１４３６９２号公報（第３頁、第２図）
【特許文献３】特開２０００−３４１３７９号公報（第３頁、第１図）
【特許文献４】特開２００３−１９８６９６号公報（第３−４頁、第５図‐第６図）
【発明の開示】
【発明が解決しようとする課題】
【０００６】
上述の如き従来の携帯端末装置は、幾つかの課題を有する。第１に、従来の折り畳み式携帯電話端末においては、着信音が聞き取りやすい端末ではテレビ電話やマルチメディアコンテンツ等の画面表示と同期して行われる再生音声が聞き取り難く、テレビ電話やマルチメディア再生での使用時に再生音声が聞き取りやすい端末では着信音の再生音声が聞き取りにくくなることである。その理由は、従来の折り畳み式携帯電話端末では、音声再生用の音声出力用開口部は端末装置を閉じた状態で外面又は閉じた状態で内面のどちらか一方に設けられているためである。端末装置を閉じた状態で外面に音声出力用開口部とスピーカが取り付けられている端末装置においては、着信音の再生音声は聞き取り易くなるが、テレビ電話やマルチメディアコンテンツ等の視聴時は端末装置を開いた状態で使用するため、音声出力用開口部は使用者反対側に対して再生音声を出力する位置にあるためである。一方、端末装置を閉じた状態で内面に音声出力用開口部とスピーカを設けた端末装置においては、テレビ電話等を開いた状態での使用では、ユーザ側に音声出力用開口部があるため音声が聞き易いが、端末装置を閉じた状態での着信待ち状態において、音声出力用開口部は閉じた端末装置の内側にあるため着信用の音声再生音は閉じられた端末の内側向きに出力されるため音量が下がりおよび／又は音がこもる状態となって聞き取り難くなるからである。
【０００７】
第２に、折り畳み式携帯電話端末装置において、端末装置の使用状態により適した向きに音声再生出力をするには、複数のスピーカを切り替え操作する必要があることである。その理由は、上述した問題点の理由で述べた如く、それぞれの用途に適した向きに音声出力用開口部を設けた場合に、用途に応じてスピーカを配置する必要と再生に使用するスピーカを切り替える制御を行う必要があるためである。
【０００８】
第３に、携帯端末装置の小型化が困難である。その理由は、第２の問題点の理由で述べた如く、必要なスピーカの数量が多くなること、スピーカの設置に必要な体積が増加するためである。第４に、ユーザ以外の方向に対して不要な音声が届けられることである。その理由は、上述した問題点を解決しようとした従来技術においては、複数の音声出力用の解雇部が常に有効となっており、使用状態により本来音声を出力する必要がない開口部からも音声が出力されるためである。
【０００９】
本発明は、従来技術の上述した課題に鑑みなされたものであり、ユーザが特別な操作をする必要がなく、携帯端末装置の開閉操作のみでスピーカの再生音声を使用形態に適した方向のみから出力すると共に、スピーカ数を最少にすることで小型化・軽量化する折り畳み式携帯端末装置を提供することを目的とする。
【課題を解決するための手段】
【００１０】
前述の課題を解決するため本発明の折り畳み式携帯端末装置は次のような特徴的な構成を採用している。
【００１１】
（１）それぞれ一端においてヒンジ結合され、それぞれ内面に表示部等および操作部等が設けられた１対の筐体を備え、使用時又は不使用時に前記ヒンジにより前記１対の筐体を開閉可能に構成された折り畳み式携帯端末装置において、
前記１対の筐体の一方の内面に形成された凹部に配置されたスピーカと、閉状態における該スピーカからの音を前記筐体の外面へ導く導音部とを備える折り畳み式携帯端末装置。
【００１２】
（２）前記スピーカは、前記１対の筐体のうちの一方の前記ヒンジが設けられた端部の近傍に設けられる上記（１）に記載の折り畳み式携帯端末装置。
【００１３】
（３）前記スピーカを配置する前記凹部は、前記表示部等が配置される一方の筐体に形成される上記（１）又は（２）に記載の折り畳み式携帯端末装置。
【００１４】
（４）前記１対の筐体のうち前記表示部等が設けられた一方の筐体の内面に前記スピーカを配置する凹部および該凹部近傍に内外面間を貫通して形成された開口部と、前記１対の筐体のうち他方の筐体の内面に前記凹部および前記開口部に対応して形成された凹部とを有し、前記一方の筐体の開口部および前記他方の筐体の凹部により前記導音部を構成する上記（３）に記載の折り畳み式携帯端末装置。
【００１５】
（５）前記スピーカを配置する前記凹部は、前記操作部等が配置される一方の筐体の内面に形成される上記（１）又は（２）に記載の折り畳み式携帯端末装置。
【００１６】
（６）前記一方の筐体の内面に形成された凹部に対応する前記他方の筐体の内外面間に貫通する開口部を形成し、前記導音部を構成する上記（５）に記載の折り畳み式携帯端末装置。
【発明の効果】
【００１７】
本発明の折り畳み式携帯端末装置によると、次の如き実用上の顕著な効果が得られる。先ず、折り畳み式携帯端末装置の使用形態毎に最適な方向へ音声が出力され、ユーザが再生された音声を聞き取り易いと共に音漏れによる周囲の他人への迷惑を最小限に抑えることが可能である。更に、ユーザは、音声出力方向を意識して何らかの操作をする必要がなく、通常の折り畳み式携帯端末装置と同様に筐体を開閉して、使用可能である。また、音声再生の高品質化が可能である。
【実施例】
【００１８】
次に、本発明による折り畳み式携帯端末装置の好適実施例の構成および動作を、添付図面を参照して詳細に説明する。
【００１９】
先ず、図１および図２は、本発明による折り畳み式携帯端末装置の第１実施例の断面図である。ここで、図１は、折り畳み式携帯端末装置の開（使用）状態の断面図である。一方、図２は、折り畳み式携帯端末装置の閉（不使用又は着信待ち）状態の断面図である。
【００２０】
図１および図２に示す第１実施例の折り畳み式携帯端末装置１０は、それぞれ一端においてヒンジ４０にて回動可能に連結された１対の筐体、即ち第１筐体（又は上側筐体）２０および第２筐体（又は下側筐体）３０により構成される。そして、これら第１筐体２０および第２筐体３０は、ユーザが手動でヒンジ４０を中心に回動することにより、上述した２つの状態、即ち図１に示す開（使用）状態と、図２に示す閉（不使用）状態とすることが可能である。
【００２１】
この折り畳み式携帯端末装置１０において、第１筐体２０は、内面（即ち、図２に示す閉状態又は折り畳み状態において第２筐体と対向する面）にテレビ電話やマルチメディアコンテンツの画像等を表示する、例えば液晶表示パネル（ＬＣＤ）である表示部２１が配置されると共にこの表示部２１のヒンジ４０側に凹部２２が形成されている。この凹部２２内には内面側を向けてスピーカ２３が配置されている。更に、この第１筐体２０には、凹部２２とヒンジ４０間に、内外面を貫通する開口部２４が形成されている。
【００２２】
他方、第２筐体３０は、内面にテンキーおよび電源スイッチ（図中には省略）等の操作部３１が形成され、ユーザが相手との通話やネットワークへの接続等の際に操作する。また、この操作部３１とヒンジ４０間には、上述した第１筐体２０の凹部２２および開口部２４と対応する位置に凹部（又はＵ字状溝）３２が形成されている。
【００２３】
次に、図1および図２を参照して、本発明による第１実施例の折り畳み式携帯端末装置１０の動作を説明する。先ず、図１を参照して折り畳み式携帯端末装置１０の開状態での動作を説明する。スピーカ２３で再生された音声は、凹部２２より前方向に出力される。この凹部２２は、テレビ電話やマルチメディアコンテンツ等のアプリケーションにおいて、再生画面が表示される表示部２１と同方向となっているので、これらのアプリケーションの使用時において、ユーザ側へスピーカ２３からの音声がこの凹部２２を介して出力される。ユーザは、良好な音質の音声を直接得ることが可能であることが理解できよう。
【００２４】
次に、図２を参照して、折り畳み式携帯端末装置１０の閉状態における動作を説明する。折り畳み式携帯端末装置１０の第１筐体２０のスピーカ２３から出力される音声は、図１に示す開状態での動作と同様に凹部２２を介して第２筐体３０側に向けて出力される。この音声出力は、第２筐体３０の内面の凹部３２および第１筐体２０の開口部２４を介して第１筐体２０の外面（図２中の上面）へ導かれる。即ち、第１筐体２０の内面の凹部２２、第２筐体３０の凹部３２および第１筐体２０の開口部２４は、スピーカ２３からの音声を第１筐体の外面へ案内する導音部を構成する。この導音部により、折り畳み式携帯端末装置１０が図２に示す閉状態にあるとき、折り畳み式携帯端末装置１０の第１筐体２０と第２筐体３０間に音声を伝えるための空間を形成する導音部として作用する。従って、折り畳み式携帯端末装置１０が閉状態であっても、着信音等を、この導音部を介して十分な音量でユーザに伝えることが可能である。
【００２５】
上述した導音部は、折り畳み式携帯端末装置１０が閉状態にあるとき形成されるが、図１に示す開状態では、この導音部は形成されないので、図１に示す開状態において、スピーカ２３から出力される音声のうち、開口部２４を介して第１筐体２０の外面、即ちユーザと反対側である図１中の左側への音声出力又は音漏れは最小限になることに注目されたい。
【００２６】
以上の説明から理解される如く、本発明の折り畳み式携帯端末装置によると、１個のスピーカ２３を使用するのみで且つユーザ導音部の形成又は遮断を意識することなく、折り畳み式携帯端末装置１０の閉状態では第１筐体２０の開口部２４を介して外面（又は背面）へ音声を出力する。そして、折り畳み式携帯端末装置１０の開状態では、スピーカ２３の音声を第１筐体２０の内面、即ち表示部２１側にある凹部２２より出力する。これにより、１個のスピーカ２３を使用して、折り畳み式携帯端末装置１０の開閉状態それぞれにおいてユーザが音声を聞き取り易い状態を実現することが可能である。
【００２７】
次に、図３および図４を参照して、本発明による折り畳み式携帯端末装置の第２実施例を説明する。図３は、第２実施例の折り畳み式携帯端末装置５０の開状態における断面図である。図４は、折り畳み式携帯端末装置５０の閉状態における断面図である。尚、説明の便宜上、上述した第１実施例の構成要素に対応する構成要素には、同様の参照符号を使用することとし、以下の説明では、相違点を中心に説明する。
【００２８】
この第２実施例の折り畳み式携帯端末装置５０は、ヒンジ４０で連結された第１筐体２０および第２筐体３０により構成される点で第１実施例の折り畳み式携帯端末装置１０と同様である。しかし、凹部２２およびスピーカ２３は、第１筐体２０ではなく、第２筐体３０のヒンジ４０の近傍に形成配置されている。そして、第２筐体３０の凹部２２に対応する第１筐体２０の位置には、その内面から外面に貫通する開口部２４が形成されている。
【００２９】
図３において、折り畳み式携帯端末装置５０の開状態では、スピーカ２３で再生された音声は、凹部２２から図３中の上方へ向けて出力される。そこで、第１筐体２０の内面に設けられた表示部２１の前にいるユーザは、その音声を直接聞き取ることが可能である。
【００３０】
次に、図４に示す如く、折り畳み式携帯端末装置５０の閉状態の場合には、スピーカ２３で再生された音声は、凹部２２から第１筐体２０の内面側に出力され、更に第１筐体２０の開口部２４を介して第１筐体２０の外面へ出力される。このように、第２実施例では、第２筐体３０の凹分２２と第１筐体２０の開口部２４が上述した導音部を形成する。
【００３１】
以上の説明から理解される如く、本発明の第２実施例にあっても、１個のスピーカ２３を使用するのみでユーザが導音部を意識することなく、折り畳み式携帯端末装置５０の閉状態では第１筐体２０の外面（又は背面）側より音声を出力する。一方、折り畳み式携帯端末装置５０の開状態では、第２筐体３０の内面側にある凹部２２より音声を出力することが可能であるので、１個のスピーカ２３を使用して折り畳み式携帯端末装置５０の開閉状態に拘らずユーザが音声を聞き取り易く且つ良好な音質状態を実現する。
【００３２】
以上、本発明による折り畳み式携帯端末装置の好適実施例の構成および動作を詳述した。しかし、斯かる実施例は、本発明の単なる例示に過ぎず、何ら本発明を限定するものではないことに留意されたい。本発明の要旨を逸脱することなく、特定用途に応じて種々の変形変更が可能であること、当業者には容易に理解できよう。
【図面の簡単な説明】
【００３３】
【図１】本発明による折り畳み式携帯端末装置の第１実施例の開状態における断面図である。
【図２】本発明による折り畳み式携帯端末装置の第１実施例の閉状態における断面図である。
【図３】本発明による折り畳み式携帯端末装置の第２実施例の開状態における断面図である。
【図４】本発明による折り畳み式携帯端末装置の第２実施例の閉状態における断面図である。
【符号の説明】
【００３４】
１０、５０  折り畳み式携帯端末装置
２０  第１筐体
２１  表示部
２２、３４  凹部
２３  スピーカ
２４  開口部
３０  第２筐体
４０  ヒンジ
【図１】
2006067084.tif 000003
【図２】
2006067084.tif 000004
【図３】
2006067084.tif 000005
【図４】
2006067084.tif 000006